(57)【要約】【課題】フェノール類及びカルボン酸類が溶解した油性溶液を含有する液体と接触させるだけでフェノール類及びカルボン酸類を捕捉することができ、また捕捉したフェノール類及びカルボン酸類を容易に溶出させて回収することができ脱着性に優れ、さらにアルコール類中のフェノール類及びカルボン酸類も分離・回収することができ処理可能な液体の種類が限定されることなく汎用性に優れ、工業廃液等からプラスチック材料等の有用な原料となるフェノール類やカルボン酸類を回収するとともに環境ホルモン物質の除去に効果的なフェノール類・カルボン酸類捕捉材を提供することを目的とする。【解決手段】本発明のフェノール類・カルボン酸類捕捉材は、式（１）【化１】2007268351.tif 000006で示される原子団を有するプロトン求引性単量体が重合した高分子化合物を含有する。【選択図】なし【特許請求の範囲】
【請求項１】
式（１）
【化１】
2007268351.tif 000005
で示される原子団を有するプロトン求引性単量体が重合した高分子化合物を含有していることを特徴とするフェノール類・カルボン酸類捕捉材。
【請求項２】
前記高分子化合物が、前記プロトン求引性単量体と結合し共重合体を形成した親油性単量体を含有していることを特徴とする請求項１に記載のフェノール類・カルボン酸類捕捉材。
【請求項３】
前記プロトン求引性単量体が、Ｎ−アルキルアクリルアミド，Ｎ−ビニルピロリドンの内の１種若しくは複数種であることを特徴とする請求項１又は２に記載のフェノール類・カルボン酸類捕捉材。
【請求項４】
通液性の容器と、前記容器に充填された請求項１乃至３の内いずれか１に記載のフェノール類・カルボン酸類捕捉材と、を備えていることを特徴とする分離具。
【請求項５】
請求項１乃至３の内いずれか１に記載のフェノール類・カルボン酸類捕捉材、又は、請求項４に記載の分離具に充填されたフェノール類・カルボン酸類捕捉材に、フェノール類及び／又はカルボン酸類を含有する液体を接触させ、前記フェノール類・カルボン酸類捕捉材に前記フェノール類及び／又はカルボン酸類を捕捉させる溶液接触工程を備えていることを特徴とするフェノール類・カルボン酸類の分離方法。
【請求項６】
前記溶液接触工程で前記フェノール類及び／又はカルボン酸類を捕捉した前記フェノール類・カルボン酸類捕捉材を脱着剤に接触させ、前記脱着剤に前記フェノール類及び／又はカルボン酸類を溶出させる脱着剤接触工程を備えていることを特徴とする請求項５に記載のフェノール類・カルボン酸類の分離方法。
【請求項７】
前記脱着剤が、フルオロ酢酸，フルオロスルホン酸，フルオロアルキルスルホン酸，非プロトン性溶媒の内の１種若しくは複数種を含有する揮発性溶媒であることを特徴とする請求項６に記載のフェノール類・カルボン酸類の分離方法。
【発明の詳細な説明】
【技術分野】
【０００１】
本発明は、油性溶液を含有する排水等の液体中のフェノール類・カルボン酸類を捕捉するフェノール類・カルボン酸類捕捉材及びそれを用いた分離具並びにフェノール類・カルボン酸類の分離方法に関するものである。
【背景技術】
【０００２】
従来より、自然環境中のハロゲン化ビスフェノールやビスフェノールＡ等のフェノール誘導体は環境汚染の原因として、最近では、生態系に影響を与える外因性内分泌撹乱物質として関心を集めている。そのため、工業有機廃液等の油性溶液に含まれるフェノール誘導体を、油性溶液から分離・回収し有害性の低い物質とは別に処理することが環境保全の観点から望ましい。また、フェノール誘導体やアクリル酸等のカルボン酸誘導体はプラスチック材料等の有用な原料となり得るため、工業有機廃液等の油性溶液から分離・回収し再利用することは、資源の有効利用の面から好ましい。
そのため、それらを油性溶液から効率的に分離・回収する方法、及びそれを可能にする材料が切望されている。
工業廃液等に含まれるフェノール類を分離・回収する従来の技術としては、例えば、以下のようなものが知られている。
【０００３】
（特許文献１）には「４−ビニルピリジンと架橋剤を共重合することによって得られるフェノール類の捕捉回収材料」が開示されている。
（特許文献２）には「ビニルピリジンと架橋剤との共重合によって得られるフェノール類捕捉回収材料を、工業廃水と接触させる工業廃水の処理方法」が開示されている。
（特許文献３）には「フェノール類含有排水をポリビニルピリジン系樹脂と接触させることによりフェノール類を吸着させ、次いで加熱することによりフェノール類を脱着させるフェノール類の除去・回収方法」が開示されている。
【特許文献１】特公平１−１３８９９号公報
【特許文献２】特公昭６２−２２６５４号公報
【特許文献３】特公昭５８−５３９５７号公報
【発明の開示】
【発明が解決しようとする課題】
【０００４】
しかしながら上記従来の技術においては、以下のような課題を有していた。
（１）（特許文献１）乃至（特許文献３）に記載のフェノール類の捕捉回収材料はいずれもビニルピリジンが主要な成分であり、ビニルピリジンは種々の求核剤と反応するので、フェノール類に対する選択性はさほど高くなく、排水中にフェノール類より吸着され易い化合物が多量に含まれていた場合には、排水からのフェノール類の分離・回収が困難になるという課題を有していた。
（２）フェノール類とビニルピリジンとの吸着機構は主に酸・塩基の相互作用によるものなので、吸着したフェノール類をビニルピリジンから脱着させる際には、エタノール等の脂肪族アルコール，アセトン等の脂肪族ケトン，酢酸メチル等の有機酸エステル等の有機溶媒や塩酸等の無機酸が多量に必要になり、分離・回収効率が低いという課題を有していた。
（３）（特許文献２）の第３頁右欄に記載されているように、吸着したフェノール類がメタノール，エタノール，イソプロピルアルコール等の脂肪族アルコールによって脱着してしまうので、脂肪族アルコールが混合した排水中のフェノール類を分離・回収することができず、処理可能な排水の種類が限定されるという課題を有していた。
（４）排水に酢酸等のカルボン酸類が含まれている場合、酸・塩基の相互作用によってビニルピリジンにカルボン酸類が吸着されるが、吸着されたカルボン酸類を脱着させるのが困難で分離・回収操作が煩雑になるという課題を有していた。
【０００５】
本発明は上記従来の課題を解決するもので、フェノール類及びカルボン酸類が溶解した油性溶液を含有する液体と接触させるだけでフェノール類及びカルボン酸類を高分子化合物に捕捉することができ捕捉能に優れ、また捕捉したフェノール類及びカルボン酸類を容易に溶出させて回収することができ脱着性に優れ、さらにアルコール類中のフェノール類及びカルボン酸類も分離・回収することができ処理可能な液体の種類が限定されることなく汎用性に優れ、工業廃液等からプラスチック材料等の有用な原料となるフェノール類やカルボン酸類を回収するとともに環境ホルモン物質の除去に効果的なフェノール類・カルボン酸類捕捉材を提供することを目的とする。
また、本発明は、フェノール類及びカルボン酸類を高分子化合物に捕捉することができ、またフルオロ酢酸や非プロトン性極性溶媒等の少量の脱着剤を通じることによって、フェノール類及びカルボン酸類を脱着させフェノール類及びカルボン酸類の濃縮液を容易に得ることができ操作性に優れる分離具を提供することを目的とする。
また、本発明は、液体中のフェノール類やカルボン酸類を選択的にプロトン求引基に捕捉させることができ、油性溶液からフェノール類やカルボン酸類を分離させることができるフェノール類・カルボン酸類の分離方法を提供することを目的とする。
【課題を解決するための手段】
【０００６】
上記従来の課題を解決するために本発明のフェノール類・カルボン酸類捕捉材及びそれを用いた分離具並びにそれを用いたフェノール類・カルボン酸類の分離方法は、以下の構成を有している。
本発明の請求項１に記載のフェノール類・カルボン酸類捕捉材は、式（１）
【化１】
2007268351.tif 000002
で示される原子団を有するプロトン求引性単量体が重合した高分子化合物を含有した構成を有している。
この構成により、以下のような作用が得られる。
（１）プロトン求引性単量体が重合した高分子化合物は、式（１）で示される強いプロトン求引基を有しており、油性溶液を含有する液体中のフェノール類及びカルボン酸類はプロトン求引基と水素結合錯体を形成するので、フェノール類及びカルボン酸類が含まれる液体と接触させるだけでフェノール類及びカルボン酸類を高分子化合物に捕捉することができる。
（２）高分子化合物のプロトン求引基とフェノール類及びカルボン酸類との水素結合はフルオロ酢酸や非プロトン性極性溶媒等の少量の脱着剤によって容易に切断されるため、これらに浸漬させるなど接触させることによって捕捉したフェノール類及びカルボン酸類を溶出させ、フェノール類及びカルボン酸類を回収することができる。
（３）高分子化合物のプロトン求引基がフェノール類及びカルボン酸類と容易に水素結合錯体を形成するので、液体中のフェノール類及びカルボン酸類を選択的に捕捉しフェノール類及びカルボン酸類の分離・回収を効率よく行うことができる。
（４）プロトン求引基と水素結合錯体を形成したフェノール類及びカルボン酸類はメタノール，エタノール，イソプロピルアルコール等のアルコール類によって脱着されないので、アルコール溶液中のフェノール類及びカルボン酸類も分離・回収することができ、処理可能な液体の種類が限定されず汎用性に優れる。
【０００７】
ここで、式（１）で示されるプロトン求引基を有するプロトン求引性単量体としては、プロトン求引基を有しており油性溶液中でフェノール類やカルボン酸類と水素結合を形成するものであれば特に制限なく用いることができ、例えば、アクリルアミド，Ｎ−ジメチルアクリルアミド，Ｎ−ジエチルアクリルアミド，Ｎ−イソプロピルアクリルアミド等のＮ−アルキルアクリルアミド、Ｎ−ビニルピロリドン、Ｎ?アクリロイルモルフォリン等が用いられる。
【０００８】
なお、フェノール類・カルボン酸類捕捉材に捕捉可能なフェノール類としては、フェノール，ニトロフェノール，アルキル化フェノール，ビスフェノールＡ等のフェノール及びフェノール誘導体が挙げられる。また、捕捉可能なカルボン酸類としては、安息香酸，アクリル酸，酢酸，ギ酸等のカルボン酸及びカルボン酸誘導体が挙げられる。
【０００９】
本発明の請求項２に記載の発明は、請求項１に記載のフェノール類・カルボン酸類捕捉材であって、前記高分子化合物が、前記プロトン求引性単量体と結合し共重合体を形成した親油性単量体を含有した構成を有している。
この構成により、請求項１で得られる作用に加え、以下のような作用が得られる。
（１）プロトン求引性単量体と親油性単量体が結合した共重合体は、強いプロトン求引基を有しているだけでなく、各種の油性溶液に膨潤して油性ゲルとなり、油性溶液中のフェノール類及びカルボン酸類の分離・回収効率を高める。
【００１０】
ここで、親油性単量体としては、重合して親油性重合体が得られる単量体であれば特に制限なく用いることができ、例えば、ジビニルベンゼン，ジビニルトルエン，ジビニルナフタリン等の芳香族ポリビニル化合物、ジアクリル酸エチレングリコール，ジメタクリル酸エチレングリコール等の脂肪族ポリビニル化合物等のポリビニル化合物；スチレン，ビニルトルエン，エチルビニルベンゼン，ビニルナフタレン，クロルスチレン等の芳香族モノビニル化合物；アクリル酸メチル，メタアクリル酸メチル，アクリロニトリル等の脂肪族モノビニル化合物；ビニルイソキノリン等の含窒素複素環式化合物等の内の１種若しくは複数種を用いることができる。
【００１１】
共重合体を形成する際の架橋剤としては、２官能以上でプロトン求引性単量体と親油性単量体と共重合が可能であれば、公知のものを特に制限なく用いることができ、例えば、Ｎ，Ｎ´−メチレンビスアクリルアミド、Ｎ，Ｎ´−メチレンビスメタクリルアミド等のビスアクリルアミド類；エチレングリコールジ（メタ）アクリレート、ポリエチレングリコールジ（メタ）アクリレート等の長鎖ジアクリレート類；ジビニルベンゼン等が好適に用いられる。これらは、単独で若しくは２種以上を組み合わせて用いることができる。
【００１２】
プロトン求引性単量体、親油性単量体及び架橋剤を共重合することにより共重合体を得る方法としては、公知の方法、例えばラジカル重合法、レドックス重合法、リビングラジカル重合法、放射線又は電子線を照射する方法、光増感剤の存在下に光照射する方法等を用いることができる。
【００１３】
共重合体の架橋度としては、１〜５０％好ましくは３〜１５％が好適に用いられる。共重合体の微粒子をカラム等に充填して用いる場合、架橋度が３％より小さくなるにつれ膨潤度が高く移動相が通過する際の損失が大きくなる傾向がみられ、１５％より大きくなるにつれ油性溶液と接触したときの膨潤度が小さくなり分離能が低下する傾向がみられる。特に、１％より小さくなるか５０％より大きくなると、これらの傾向が著しくなるため、いずれも好ましくない。
なお、架橋度は赤外線吸収スペクトル法で測定することができる。
【００１４】
本発明の請求項３に記載の発明は、請求項１又は２に記載のフェノール類・カルボン酸類捕捉材であって、前記プロトン求引性単量体が、Ｎ−アルキルアクリルアミド，Ｎ−ビニルピロリドンの内の１種若しくは複数種である構成を有している。
この構成により、請求項１又は２で得られる作用に加え、以下のような作用が得られる。
（１）Ｎ−アルキルアクリルアミド，Ｎ−ビニルピロリドンは油性溶液中でフェノール類やカルボン酸類と水素結合を形成するとともに容易に重合体を形成するので、生産性に優れる。
【００１５】
ここで、Ｎ−アルキルアクリルアミドとしては、アクリルアミド，Ｎ−ジメチルアクリルアミド，Ｎ−ジエチルアクリルアミド，Ｎ−イソプロピルアクリルアミド、Ｎ?アクリロイルモルフォリン等が用いられる。
【００１６】
本発明の請求項４に記載の分離具は、通液性の容器と、前記容器に充填された請求項１乃至３の内いずれか１に記載のフェノール類・カルボン酸類捕捉材と、を備えた構成を有している。
この構成により、以下のような作用が得られる。
（１）プロトン求引性単量体が重合した高分子化合物が通液性の容器に充填された分離具にフェノール類やカルボン酸類を含む混合有機液体を通じる等、容器内の捕捉材に混合有機液体を接触させることによって、フェノール類及びカルボン酸類を高分子化合物に捕捉することができる。この容器に、フルオロ酢酸や非プロトン性極性溶媒等の少量の脱着剤を通じる等、容器内の捕捉材に脱着剤を接触させることによって、フェノール類及びカルボン酸類を脱着させフェノール類及びカルボン酸類の濃縮液を容易に得ることができ操作性に優れる。
【００１７】
ここで、分離具の容器には、フェノール類・カルボン酸類捕捉材の微粒子が充填されるが、微粒子は、ボールミル等の粉砕機で共重合体を粉砕することによって製造できる。また、水性媒体中で乳化重合を行うことにより、高分子化合物を粉砕することなく微粒子を製造できる。
微粒子の大きさとしては、直径１μｍ〜１ｍｍのものが好適に用いられる。微粒子の直径が１μｍより小さくなると充填した容器から流出し易くなり、また流出を防ぐため容器内に開口径の小さなフィルタを配設すると移動相が通過するときに大きな損失が生じるため好ましくない。微粒子の直径が１ｍｍより大きくなると、表面積が低下するのでフェノール類やカルボン酸類の分離能が低下するため好ましくない。なお、微粒子の形状は球状だけでなく、種々の形状をしたものを用いることができる。
【００１８】
容器としては、ステンレス製，合成樹脂製等のカラム等の管体、網体、不織布等で形成された通液性の袋体等の通液性を有しているものであれば、特に限定されることなく用いることができる。
管体の容器としては、内径が１〜２０ｍｍのものが好ましく、特に１〜５ｍｍのものが好適に用いられる。また、長さは５〜４０ｃｍのものが好ましく、特に１０〜２０ｃｍのものが好適に用いられる。
【００１９】
本発明の請求項５に記載のフェノール類・カルボン酸類の分離方法としては、請求項１乃至３の内いずれか１に記載のフェノール類・カルボン酸類捕捉材、又は、請求項４に記載の分離具に充填されたフェノール類・カルボン酸類捕捉材に、フェノール類及び／又はカルボン酸類を含有する液体を接触させ、前記フェノール類・カルボン酸類捕捉材に前記フェノール類及び／又はカルボン酸類を捕捉させる溶液接触工程を備えた構成を有している。
この構成により、請求項１に記載した作用に加え、以下のような作用が得られる。
（１）溶液接触工程を備えているので、液体に溶解乃至は分散しているフェノール類やカルボン酸類を選択的にフェノール類・カルボン酸類捕捉材のプロトン求引基に捕捉させることができ、液体からフェノール類やカルボン酸類を分離させることができる。
【００２０】
ここで、液体としては、工業排水等のようにトルエン，キシレン等の芳香族化合物、クロロホルム等のハロゲン化アルカン、へキサン等のアルカン、アルコール類、エステル類等の親油性の油性溶液が混合されていれば特に制限なく適用することができる。油性溶液が水等の水性溶液と混合された懸濁液も用いることができる。また、油性溶液の混合液も用いることができ、混合比も任意である。
【００２１】
なお、フェノール類やカルボン酸類としては、請求項１で説明したものと同様なので、説明を省略する。
【００２２】
本発明の請求項６に記載の発明は、請求項５に記載のフェノール類・カルボン酸類の分離方法であって、前記溶液接触工程で前記フェノール類及び／又はカルボン酸類を捕捉した前記フェノール類・カルボン酸類捕捉材を脱着剤に接触させ、前記脱着剤に前記フェノール類及び／又はカルボン酸類を溶出させる脱着剤接触工程を備えた構成を有している。
この構成により、請求項５で得られる作用に加え、以下のような作用が得られる。
（１）フェノール類やカルボン酸類を捕捉したフェノール類・カルボン酸類捕捉材を脱着剤に接触させるという簡易な操作で、フェノール類やカルボン酸類を脱着させることができるので作業性に優れる。
（２）脱着剤接触工程を備えているので、フェノール類・カルボン酸類捕捉材に捕捉されたフェノール類やカルボン酸類を脱着剤に溶出させ、フェノール類・カルボン酸類捕捉材を再生し繰り返し使用可能にでき省資源性に優れる。
（３）フェノール類やカルボン酸類はフェノール類・カルボン酸類捕捉材に水素結合で捕捉されているだけなので、少量の脱着剤で水素結合を切断しフェノール類やカルボン酸類を溶出させることができ省資源性に優れる。このため、脱着剤中のフェノール類・カルボン酸類の濃度を油性溶液中のフェノール類・カルボン酸類の濃度と比較して飛躍的に高め濃縮させることができる。
【００２３】
ここで、脱着剤としては、トリフルオロ酢酸，トリフルオロスルホン酸，フルオロアルキルスルホン酸等の酸液、ジメチルスルホキシド（ＤＭＳＯ），ジメチルホルムアミド（ＤＭＦ），ジエチルホルムアミド，ジメチルアセトアミド，Ｎ−メチルピロリドン，１，３−ジメチル−２−イミダゾリドン，ヘキサメチルホスホリックトリアミド等の非プロトン性溶媒が好適に用いられる。
【００２４】
本発明の請求項７に記載の発明は、請求項６に記載のフェノール類・カルボン酸類の分離方法であって、前記脱着剤が、フルオロ酢酸，フルオロスルホン酸，フルオロアルキルスルホン酸，非プロトン性溶媒の内の１種若しくは複数種を含有する揮発性溶媒である構成を有している。
この構成により、請求項６で得られる作用に加え、以下のような作用が得られる。
（１）脱着剤が、フルオロ酢酸，フルオロスルホン酸，フルオロアルキルスルホン酸，非プロトン性溶媒の内の１種若しくは複数種を含有する揮発性溶媒なので、少量の脱着剤で水素結合を切断しフェノール類やカルボン酸類を溶出させることができ、また揮発性であるため脱着剤を揮発させることで揮発性溶媒内のフェノール類・カルボン酸類の濃度を高め容易に濃縮することができ、さらに少量の脱着剤で済むため廃溶剤の産生も少量で済み廃液処理操作を軽減できる。
【００２５】
ここで、フルオロ酢酸，フルオロスルホン酸，フルオロアルキルスルホン酸としては、モノフルオロ酢酸，ジフルオロ酢酸，トリフルオロ酢酸，フルオロスルホン酸，トリフルオロメタンスルホン酸等が用いられる。
非プロトン性溶媒としては、ジメチルスルホキシド（ＤＭＳＯ），アセトニトリル（ＡＮ），ジメチルホルムアミド（ＤＭＦ），ジエチルホルムアミド，ヘキサメチルリン酸トリアミド（ＨＭＰＡ），ジメチルアセトアミド，Ｎ−メチルピロリドン，１，３−ジメチル−２−イミダゾリドン，ヘキサメチルホスホリックトリアミド等が用いられる。
【発明の効果】
【００２６】
以上のように、本発明のフェノール類・カルボン酸類捕捉材及びそれを用いた分離具並びにそれを用いたフェノール類・カルボン酸類の分離方法によれば、以下のような有利な効果が得られる。
請求項１に記載の発明によれば、
（１）プロトン求引性単量体が重合した高分子化合物は強いプロトン求引基を有しており、油性溶液を含有する液体中のフェノール類及びカルボン酸類はプロトン求引基と水素結合錯体を形成するので、フェノール類及びカルボン酸類を含有する液体と接触させるだけでフェノール類及びカルボン酸類を高分子化合物に捕捉することができ捕捉能に優れたフェノール類・カルボン酸類捕捉材を提供できる。
（２）高分子化合物のプロトン求引基とフェノール類及びカルボン酸類との水素結合はフルオロ酢酸や非プロトン性極性溶媒等の少量の脱着剤によって容易に切断されるため、これらに浸漬させることによって捕捉したフェノール類及びカルボン酸類を溶出させ、フェノール類及びカルボン酸類を回収することができ脱着性に優れたフェノール類・カルボン酸類捕捉材を提供できる。
（３）高分子化合物のプロトン求引基がフェノール類及びカルボン酸類と容易に水素結合錯体を形成するので、液体中のフェノール類及びカルボン酸類を選択的に捕捉しフェノール類及びカルボン酸類の分離・回収を効率よく行うことができ選択性に優れたフェノール類・カルボン酸類捕捉材を提供できる。
（４）プロトン求引基と水素結合錯体を形成したフェノール類及びカルボン酸類はメタノール，エタノール，イソプロピルアルコール等のアルコール類によって脱着されないので、アルコール溶液中のフェノール類及びカルボン酸類も分離・回収することができ、処理可能な液体の種類が限定されず汎用性に優れたフェノール類・カルボン酸類捕捉材を提供できる。
【００２７】
請求項２に記載の発明によれば、請求項１の効果に加え、
（１）プロトン求引性単量体と親油性単量体が結合した共重合体は、強いプロトン求引基を有しているだけでなく、各種の油性溶液に膨潤して油性ゲルとなるので、油性溶液中のフェノール類及びカルボン酸類の分離・回収効率に優れたフェノール類・カルボン酸類捕捉材を提供できる。
【００２８】
請求項３に記載の発明によれば、請求項１又は２の効果に加え、
（１）油性溶液中でフェノール類やカルボン酸類と水素結合を形成するとともに容易に重合体を形成するので生産性に優れたフェノール類・カルボン酸類捕捉材を提供することができる。
【００２９】
請求項４に記載の発明によれば、
（１）フェノール類及びカルボン酸類を高分子化合物に捕捉することができ、またフルオロ酢酸や非プロトン性極性溶媒等の少量の脱着剤を通じることによって、フェノール類及びカルボン酸類を脱着させフェノール類及びカルボン酸類の濃縮液を容易に得ることができ操作性に優れた分離具を提供できる。
【００３０】
請求項５に記載の発明によれば、
（１）溶液接触工程を備えているので、液体中のフェノール類やカルボン酸類を選択的にフェノール類・カルボン酸類捕捉材のプロトン求引基に捕捉させ捕捉させることができ、液体からフェノール類やカルボン酸類を分離させることができるフェノール類・カルボン酸類の分離方法を提供できる。
【００３１】
請求項６に記載の発明によれば、請求項５の効果に加え、
（１）フェノール類やカルボン酸類を捕捉したフェノール類・カルボン酸類捕捉材を脱着剤に接触させるという簡易な操作で、フェノール類やカルボン酸類を脱着させることができ作業性に優れたフェノール類・カルボン酸類の分離方法を提供できる。
（２）フェノール類・カルボン酸類捕捉材に捕捉されたフェノール類やカルボン酸類を脱着剤に溶出させ、フェノール類・カルボン酸類捕捉材を再生し繰り返し使用可能にでき省資源性に優れたフェノール類・カルボン酸類の分離方法を提供できる。
（３）少量の脱着剤で水素結合を切断しフェノール類やカルボン酸類を溶出させることができ省資源性に優れ、さらに脱着剤中のフェノール類・カルボン酸類の濃度を油性溶液中のフェノール類・カルボン酸類の濃度と比較して飛躍的に高め濃縮させることができるフェノール類・カルボン酸類の分離方法を提供できる。
【００３２】
請求項７に記載の発明によれば、請求項６の効果に加え、
（１）少量の脱着剤で水素結合を切断しフェノール類やカルボン酸類を溶出させることができ、また揮発性であるため脱着剤を揮発させることで揮発性溶媒内のフェノール類・カルボン酸類の濃度を高め容易に濃縮することができ、さらに少量の脱着剤で済むため廃溶剤の産生も少量で済み廃液処理操作を軽減できるフェノール類・カルボン酸類の分離方法を提供できる。
【実施例】
【００３３】
以下、本発明を実施例により具体的に説明する。なお、本発明はこれらの実施例に限定されるものではない。
（実施例１）
プロトン求引性単量体としてのＮ−ビニルピロリドン（東京化成工業製）（以下、Ｍ１と表記する）０．１ｍｏｌ、親油性単量体としてのメタクリル酸メチル（東京化成工業製）（以下、Ｍ２と表記する）０．９ｍｏｌ、架橋剤としてのメチレンビスアクリルアミド（和光純薬製）（以下、Ｃと表記する）０．０５ｍｏｌ、開始剤としてのアゾビスシアノ吉草酸（和光純薬製）（以下、Ｉと表記する）０．０１ｍｏｌを混合し、６０℃で０．５時間反応させた。反応終了後十分水洗し、実施例１の三次元網目状の高分子化合物（共重合体）を得た。赤外線吸収スペクトル法によって測定した架橋度は１０％であった。
得られた高分子化合物を万能ミルによって粉砕し、篩で分級して粒子径２０〜１００μｍの微粒子を得た。
（実施例２〜５、比較例１）
Ｎ−ビニルピロリドン（Ｍ１）、メタクリル酸メチル（Ｍ２）、メチレンビスアクリルアミド（Ｃ）、アゾビスシアノ吉草酸（Ｉ）を、（表１）に示す割合で混合し反応させた以外は実施例１と同様にして、実施例２〜５及び比較例１の高分子化合物を得て、さらに粉砕・分級することで微粒子を得た。
【００３４】
【表１】
2007268351.tif 000003
【００３５】
（フェノール類の分離能の評価）
ビスフェノールＡ（以下、ＢＰＡと表記する）の濃度が１ｇ／Ｌのトルエン溶液に、実施例１〜５、比較例１の微粒子を、トルエン溶液１ｇ当たり微粒子０．０１ｇの割合でそれぞれ静置した状態で浸漬した。微粒子を浸漬している間、トルエン溶液は２５℃に保った。
浸漬してから１時間経過後、トルエン溶液と微粒子を吸引ろ過により分離した。次いで、紫外線可視吸収スペクトル測定により、トルエン溶液中のＢＰＡ濃度を測定した。
（カルボン酸の分離能の評価）
アクリル酸（以下、ＡＡと表記する）の濃度が１０ｍｇ／Ｌのクロロホルム溶液に、実施例１〜５、比較例１の微粒子を、クロロホルム溶液１ｇ当たり微粒子０．０１ｇの割合でそれぞれ１時間、静置した状態で浸漬した。微粒子を浸漬している間、クロロホルム溶液は２５℃に保った。
浸漬してから１時間経過後、クロロホルム溶液と微粒子を吸引ろ過により分離した。次いで、ガスクロマトグラフィーにより、クロロホルム溶液中のＡＡ濃度を測定した。
【００３６】
図１は実施例１〜５及び比較例１の微粒子を浸漬したトルエン溶液中のビスフェノールＡ（ＢＰＡ）の濃度を、高分子化合物のＭ１のモル比に対してプロットした図である。
プロトン求引性単量体（Ｍ１）を含まない親油性単量体（Ｍ２）のみからなる比較例１の微粒子の場合、トルエン溶液中のＢＰＡの濃度は、初期濃度（１ｇ／Ｌ）とほとんど変わらないことがわかった。これに対し、実施例１〜５の微粒子を用いた場合には、トルエン溶液中のＢＰＡ濃度は大幅に低下し、この傾向は高分子化合物中のＭ１の含量が増加するにつれて顕著であった。
図２は実施例１〜５及び比較例１の微粒子を浸漬したクロロホルム溶液中のアクリル酸（ＡＡ）の濃度を、高分子化合物のＭ１のモル比に対してプロットした図である。
アクリル酸（ＡＡ）が溶解したクロロホルム溶液の場合も、プロトン求引性単量体（Ｍ１）を含まない親油性単量体（Ｍ２）のみからなる比較例１の微粒子の場合には、クロロホルム溶液中のＡＡの濃度は初期濃度（１ｇ／Ｌ）とほとんど変わらず、実施例１〜５の微粒子を用いた場合には、クロロホルム溶液中のＡＡ濃度は大幅に低下し、この傾向は高分子化合物中のＭ１の含量が増加するにつれて顕著であった。
以上のことから、強いプロトン求引性を有する油性の三次元網目状の高分子化合物の微粒子は、油性溶液中に溶存するフェノール類及びカルボン酸類の分離・回収に対して、極めて高い能力を示すことが明らかになった。また、本実施例によれば、油性溶液に高分子化合物の微粒子を浸漬するという極めて簡易的な方法でも、溶存するフェノール類及びカルボン酸類を分離・回収できることが明らかになった。
【００３７】
（実施例６）
実施例３の高分子化合物（共重合体）の微粒子を、内径５ｍｍ、長さ２ｃｍのポリプロピレン製カートリッジに充填して実施例６の分離具を製造した。
（比較例２）
比較例１の微粒子を内径５ｍｍ、長さ２ｃｍのポリプロピレン製カートリッジ（管体の容器）に充填して比較例２の分離具を製造した。
（分離具の分離・回収能の評価）
実施例６及び比較例２の分離具のそれぞれに、ビスフェノールＡ（ＢＰＡ）の濃度が１ｇ／Ｌのトルエン溶液を、ガラス製シリンジを用いて一定の流速で通じた。分離具から排出されたトルエン溶液中のＢＰＡの濃度を、紫外線可視吸収スペクトル法により測定した。
その結果、実施例６の分離具から排出されたトルエン溶液中のＢＰＡの濃度は０．０５ｇ／Ｌであったのに対し、比較例２の分離具から排出されたトルエン溶液中のＢＰＡの濃度は０．８ｇ／Ｌであった。実施例６の分離具ではトルエン溶液中のＢＰＡの９５ｗｔ％を捕捉できたのに対し、比較例２の分離具では２０ｗｔ％しか捕捉できないことがわかった。
また、アクリル酸（ＡＡ）の濃度が５０ｍｇ／Ｌのクロロホルム溶液についても同様にして、排出されたクロロホルム溶液中のＡＡの濃度をガスクロマトグラフィーにより測定したところ、実施例６の分離具から排出されたＡＡ濃度は１１ｍｇ／Ｌであり、比較例２の分離具から排出されたＡＡ濃度は４６ｍｇ／Ｌであった。実施例６の分離具ではクロロホルム溶液中のＡＡの７８ｗｔ％を捕捉できたのに対し、比較例２の分離具では８ｗｔ％しか捕捉できないことがわかった。
これにより、強いプロトン求引性を有する油性の三次元網目状の共重合体の微粒子を充填した分離具は、油性溶液中に溶存するフェノール類やカルボン酸類を簡便かつ迅速に回収できることが明らかになった。
【００３８】
（実施例７）
プロトン求引性単量体としてのＮ−ビニルピロリドン（東京化成工業製）（Ｍ１）０．５ｍｏｌ、親油性単量体としてのメタクリル酸メチル（東京化成工業製）（Ｍ２）０．５ｍｏｌ、架橋剤としてのメチレンビスアクリルアミド（和光純薬製）（Ｃ）０．０５ｍｏｌ、開始剤としてのアゾビスシアノ吉草酸（和光純薬製）（Ｉ）０．０１ｍｏｌ及び重合促進剤としてのメルカプトエタノール（東京化成工業製）０．０１ｍｏｌ（以下、Ｅと表記する）を混合し、６０℃で０．５時間反応させた。反応終了後十分水洗し、実施例７の三次元網目状の高分子化合物を得た。
得られた高分子化合物を万能ミルによって粉砕し、篩で分級して粒子径２０〜１００μｍの微粒子を得た。
（実施例８、比較例３）
Ｎ−ビニルピロリドン（Ｍ１）、メタクリル酸メチル（Ｍ２）、メチレンビスアクリルアミド（Ｃ）、アゾビスシアノ吉草酸（Ｉ）、メルカプトエタノール（Ｅ）を、（表２）に示す割合で混合し反応させた以外は実施例７と同様にして、実施例８、比較例３の高分子化合物を得て、さらに粉砕・分級することで微粒子を得た。
【００３９】
【表２】
2007268351.tif 000004
【００４０】
（フェノール類の分離能の評価）
ポリビニルフェノール（以下、ＰＶＰｈと表記する）の濃度が１ｇ／Ｌの９９．５％エタノール溶液１００ｍＬに、それぞれ１ｇの実施例７，８、比較例３の微粒子を浸漬した。
浸漬してから１時間経過後、エタノール溶液と微粒子を吸引ろ過により分離した。次いで、紫外線可視吸収スペクトル測定により、エタノール溶液中のＢＶＰｈ濃度を測定した。
また、ビスフェノールＡ（ＢＰＡ）の濃度が１ｇ／Ｌのエタノール溶液１００ｍＬに、それぞれ１ｇの実施例７，８、比較例３の微粒子を浸漬した。
浸漬してから１時間経過後、エタノール溶液と微粒子を吸引ろ過により分離した。次いで、紫外線可視吸収スペクトル測定により、エタノール溶液中のＢＰＡ濃度を測定した。
【００４１】
図３は実施例７，８、比較例３の微粒子を浸漬したエタノール溶液中のポリビニルフェノール（ＰＶＰｈ）の濃度を、高分子化合物のＭ１のモル比に対してプロットした図であり、図４は実施例７，８、比較例３の微粒子を浸漬したエタノール溶液中のビスフェノールＡ（ＢＰＡ）の濃度を、高分子化合物のＭ１のモル比に対してプロットした図である。
以上のことから、プロトン求引性単量体（Ｍ１）を含む実施例７，８の高分子化合物の場合、エタノール溶液中のフェノール類の濃度は大幅に低下し、この傾向は高分子化合物のＭ１の含量が増加するにつれて顕著であった。
これにより、強いプロトン求引性を有する高分子化合物の微粒子は、アルコール類からなる油性溶液中に溶存するフェノール類も簡便かつ迅速に分離・回収できることが明らかになった。
【００４２】
次に、エタノール溶液と分離した実施例７の微粒子を、脱着剤としてのジメチルホルムアミド（ＤＭＦ）１００ｍＬに５分間浸漬した。５分間浸漬後、ジメチルホルムアミド（ＤＭＦ）と微粒子を吸引ろ過により分離した。次いで、ジメチルホルムアミド（ＤＭＦ）中のポリビニルフェノール（ＰＶＰｈ）濃度を、紫外線可視吸収スペクトル測定により測定した。
図５は実施例７の微粒子を浸漬する前のエタノール溶液中のＰＶＰｈ濃度、微粒子をエタノール溶液に１時間浸漬した後エタノール溶液と分離した微粒子をジメチルホルムアミド（ＤＭＦ）に５分間浸漬した後のＤＭＦ中のＰＶＰｈ濃度を示す図である。
図５から、エタノール溶液中のＰＶＰｈのほぼ全量を微粒子に捕捉させ、エタノール溶液に浸漬した微粒子を脱着剤のジメチルホルムアミドに浸漬することで、エタノール溶液中のＰＶＰｈのほぼ全量がジメチルホルムアミドに脱着されていることがわかる。
以上のことから、本実施例によれば、脱着剤に接触させることで捕捉したフェノール類やカルボン酸類を容易に脱着させることができ操作性に優れていることが明らかになった。
【産業上の利用可能性】
【００４３】
本発明は、油性溶液中のフェノール類・カルボン酸類を捕捉するフェノール類・カルボン酸類捕捉材及びそれを用いた分離具並びにフェノール類・カルボン酸類の分離方法に関し、フェノール類及びカルボン酸類を含有する液体と接触させるだけでフェノール類及びカルボン酸類を捕捉することができ捕捉能に優れ、また捕捉したフェノール類及びカルボン酸類を容易に溶出させて回収することができ脱着性に優れ、さらにアルコール類中のフェノール類及びカルボン酸類も分離・回収することができ処理可能な液体の種類が限定されることなく汎用性に優れるフェノール類・カルボン酸類捕捉材を提供でき、またフェノール類及びカルボン酸類を捕捉することができ、またフルオロ酢酸や非プロトン性極性溶媒等の少量の脱着剤を通じることによって、フェノール類及びカルボン酸類を脱着させフェノール類及びカルボン酸類の濃縮液を容易に得ることができ操作性に優れる分離具を提供でき、また液体中のフェノール類やカルボン酸類を選択的にプロトン求引基に捕捉させ捕捉させることができ、液体からフェノール類やカルボン酸類を分離させることができるフェノール類・カルボン酸類の分離方法を提供できる。
【図面の簡単な説明】
【００４４】
【図１】実施例１〜５及び比較例１の微粒子を浸漬したトルエン溶液中のビスフェノールＡ（ＢＰＡ）の濃度を、共重合体のＭ１のモル比に対してプロットした図
【図２】実施例１〜５及び比較例１の微粒子を浸漬したクロロホルム溶液中のアクリル酸（ＡＡ）の濃度を、共重合体のＭ１のモル比に対してプロットした図
【図３】実施例７，８、比較例３の微粒子を浸漬したエタノール溶液中のポリビニルフェノール（ＰＶＰｈ）の濃度を、高分子化合物のＭ１のモル比に対してプロットした図
【図４】実施例７，８、比較例３の微粒子を浸漬したエタノール溶液中のビスフェノールＡ（ＢＰＡ）の濃度を、高分子化合物のＭ１のモル比に対してプロットした図
【図５】実施例７の微粒子を浸漬する前のエタノール溶液中のＰＶＰｈ濃度、微粒子をエタノール溶液に１時間浸漬した後エタノール溶液と分離した微粒子をジメチルホルムアミド（ＤＭＦ）に５分間浸漬した後のＤＭＦ中のＰＶＰｈ濃度を示す図
【図１】
2007268351.tif 000007
【図２】
2007268351.tif 000008
【図３】
2007268351.tif 000009
【図４】
2007268351.tif 000010
【図５】
2007268351.tif 000011